(57)【要約】      （修正有）【課題】長短針の位置による時刻又は時間の表示とそれらのデジタル表示を正確に一致させて表示できる時計形知育玩具の提供。【解決手段】長針２１、短針２２、長短針の回転軌跡上に位置する分表示文字と時表示文字とをもつ文字盤１４、中空のケース、文字盤１４の周囲に位置してケース内に設けた分表示窓１７と時表示窓１６、長針２１の一回転に対して短針２２を１／１２回転させるケース内に組み込んだ減速機構２５〜２８、分表示窓１７から露出するデジタルで分表示するための数字をもつケース内に組み込んだ長針と一緒に回転する分表示盤２４、時表示窓から露出するデジタルで時表示するための数字をもつケース内に組み込まれた時表示盤３９および減速機構２５〜２８と時表示盤３９との間に位置してケース内に組み込まれた間欠機構３１〜３８からなる。【選択図】図２
0003136360.tif 000002
【実用新案登録請求の範囲】
【請求項１】
長針と、長針と同軸配置された短針と、長針および短針がその中心上に配置され、長針の回転軌跡上に配置された分表示文字および短針の回転軌跡上に配置された時表示文字を備える文字盤と、文字盤を担持する中空のケースと、文字盤の周囲に位置して前記ケースに設けた分表示窓および時表示窓と、長針の一回転に対して短針を１／１２回転させるためにケース内部に組み込まれた減速機構と、前記分表示窓から露出するデジタルで時表示するための数字を有するケース内部に組み込まれた長針と一緒に回転する分表示盤と、時表示窓から露出するデジタルで分表示するための数字を有するケース内部に組み込まれた時表示盤と、前記減速機構と時表示盤との間に位置してケース内部に組み込まれた間欠機構とからなることを特徴とする時計形知育玩具。
【請求項２】
分表示盤が、その回転中心を長針の回転中心となる長針軸に一致させ、当該長針軸に取り付けられている請求項１に記載の時計形知育玩具。
【請求項３】
間欠機構が、長針と同回転する間欠回転盤と、間欠回転盤の一回転ごとに回転する小歯車とからなり、時表示盤が、前記小歯車の回転時に順次に移動されるデジタルで時表示するための数字を備えている請求項１又は請求項２に記載の時計形知育玩具。
【請求項４】
時表示盤が、時表示盤を回転させても前記小歯車の回転を停止する一方向クラッチを、小歯車との間に備えている請求項１〜３のいずれかの請求項に記載の時計形知育玩具。
【請求項５】
文字盤隠しを含み、該文字盤隠しを文字盤上に配置することで、文字盤上の分表示の文字Ｍを隠すようにした請求項１〜４のいずれかの請求項に記載の時計形知育玩具。
【請求項６】
時表示窓および分表示窓を露出させる位置とこれらの窓を覆う位置との間を移動可能な覆い板を備えた請求項１〜５のいずれかの請求項に記載の時計形知育玩具。
【考案の詳細な説明】
【技術分野】
【０００１】
本考案は、知育玩具に係わり、さらに詳しくは、アナログ時計における長針および短針の位置と時間との関係を学ぶための時計形知育玩具に関する。
【背景技術】
【０００２】
アナログ時計形の知育玩具の中で、長針に付けたつまみを回転させる形式の玩具時計においては、この玩具時計の文字盤の数字近傍に、例えば５分単位の分表示部を取付け、長針が文字盤の数字に達したときに該当する分表示部の数字を表示状態とし、それ以外のときには分表示部の数字を非表示状態にする分表示制御機構を設けて、つまみを回転すると、長針が回転し、長針が示す文字盤の数字に対応して表示板から分表示が分かるので、幼児にも長針が示す分表示の数値と長針の位置との対応関係を理解しつつ読むことができる玩具時計が提案されている（例えば特許文献１を参照）。分表示部は、１２時、３時、６時、９時の位置に隣接して４つの窓を設けて、長針が５分経過するごとに、つぎつぎと窓にデジタル表示するように形成して、時計のサイズを小さくした上で、機械的な分表示制御機構を採用することができるように形成されている。
【０００３】
しかしながら、上記構成の時計玩具では、長針の分表示に連動する短針の位置、つまり時刻を知覚することができないので、アナログ時計の時刻表示の読み取りを学習する知育玩具として不十分であり、しかも、長針の位置も５分単位でしかデジタル表示されないので、かなり年齢の低い幼児向けでしか使うことができない。
【特許文献１】特開平１０−１１８３４８号公報
【考案の開示】
【考案が解決しようとする課題】
【０００４】
本考案は、上記のような現状に鑑み、アナログ時計の時刻表示、時間表示における長針と短針の位置による時刻、又は、時間と前記両針の関係、或は、長針の位置による一分単位の表示を学ぶことができ、しかも、長短針の位置による時刻又は時間の表示とデジタル表示を正確に一致させて表示できる時計形知育玩具を提供することを、その課題とする。
【課題を解決するための手段】
【０００５】
上記の課題を解決することを目的としてなされた本考案時計形知育玩具の構成は、長針と、長針と同軸配置された短針と、長針および短針がその中心上に配置され、長針の回転軌跡上に配置された分表示文字および短針の回転軌跡上に配置された時表示文字を備える文字盤と、文字盤を担持する中空のケースと、文字盤の周囲に位置して前記ケースに設けた分表示窓および時表示窓と、長針の一回転に対して短針を１／１２回転させるためにケース内部に組み込まれた減速機構と、前記分表示窓から露出するデジタルで分表示するのための数字を有するケース内部に組み込まれた長針と一緒に回転する分表示盤と、時表示窓から露出するデジタルで時表示するのための数字を有するケース内部に組み込まれた時表示盤と、前記減速機構と時表示盤との間に位置してケース内部に組み込まれた間欠機構とからなることを特徴とするものである。
【０００６】
本考案は、上記構成において、分表示盤が、その回転中心を長針の回転中心となる長針軸に一致させ、当該長針軸に取り付けられた構成とすることが望ましい。
【０００７】
また、本考案は、上記構成において、間欠機構が、長針と同回転する間欠回転盤と、間欠回転盤の一回転ごとに回転する小歯車とからなり、時間表示板が、前記小歯車の回転時に順次に移動されるデジタルで時表示するための数字を備えた構成としても良い。
【０００８】
さらに、本考案は、上記構成において、時表示盤が、時表示盤を回転させても前記小歯車の回転を停止する一方向クラッチを、小歯車との間に備えた構成としても良い。
【０００９】
加えて、本考案は、上記構成においては、文字盤隠しを含み、該文字盤隠しを文字盤上に配置することで、分表示文字を隠すようにしても良い。
【００１０】
なお、本考案は、上記構成において、時表示窓および分表示窓を露出させる位置とこれらの窓を覆う位置との間を移動可能な覆い板を備えた構成とすることができる。
【考案の効果】
【００１１】
本考案本考案時計形知育玩具は、長針と、長針と同軸配置された短針と、長針および短針がその中心上に配置され、長針の回転軌跡上に配置された分表示文字および短針の回転軌跡上に配置された時表示文字を備える文字盤と、文字盤を担持する中空のケースと、文字盤の周囲に位置して前記ケースに設けた分表示窓および時表示窓と、長針の一回転に対して短針を１／１２回転させるためにケース内部に組み込まれた減速機構と、前記分表示窓から露出するデジタルで分表示するための数字を有するケース内部に組み込まれた長針と一緒に回転する分表示盤と、時表示窓から露出するデジタルで時表示するための数字を有するケース内部に組み込まれた時表示盤と、前記減速機構と時表示盤との間に位置してケース内部に組み込まれた間欠機構とからなるので、アナログ時計の時刻表示、時間表示における長針と短針の位置による時刻、あるいは、時間と前記両針の関係を学ぶことができ、長針の位置も一分単位で学ぶことができ、しかも、長短針の位置による時刻又は時間の表示とデジタル表示との関係を正確に一致させることができる。
【考案を実施するための最良の形態】
【００１２】
以下、添付図を参照して、本考案時計形知育玩具の実施形態を説明する。添付図において、図１は本考案時計形知育玩具の一実施形態を示す一部を破断した正面図、図２は図１に示す本考案時計形知育玩具の背面図、図３は図１および図２に示す本考案時計形知育玩具の裏蓋を外した状態の背面図、図４は図１の４−４線に沿う断面図、図５は図１〜図４に示す本考案時計形知育玩具の時間に関連するデジタル表示をする機構の正面図、図６は図１〜図５に示す本考案時計形知育玩具の使用状態を示す正面図である。
【００１３】
本考案時計形知育玩具は、図１〜図４に示すように、表蓋１１および裏蓋１２からなる中空のケースを備えている。各蓋１１，１２は、大略だるま状をなしており、互いに嵌め込みかつ小ねじ１３によって連結することで、一つの中空密閉容器を形成している。
【００１４】
表蓋１１の表面には、円形の文字盤１４が設けられている。長針２１は、文字盤１４上に、長針軸２３を中心に回転するように取り付けられている。そして、短針２２は、長針２１と独立して、長針軸２３と同軸上で回転するように、中空の長針軸２３に保持されている。
【００１５】
前記文字盤１４には、長針２１の回転軌跡上に位置して「０〜１１」の時を表す時表示文字Ｔ、短針２２の回転軌跡上に位置して「０〜５９」の分を表す分表示文字Ｍ、文字盤１４の周上を１２個に区分した時間帯を表すリング状の帯Ｓが印刷されている。また、文字盤１４の下方に位置して、表蓋１１には各時間に関連する絵文字Ｆのための絵表示窓１５、何時のデジタル表示のための数字ＤＴを露出させる時表示窓１６、および何分のデジタル表示のための数字ＤＭを露出させる分表示窓１７が設けられている。なお、絵文字Ｆは、幼児の興味を惹く、その時刻に関連する絵からなっている。
【００１６】
長針軸２３には、分表示盤２４が固定され、この長針軸２３と一緒に回転するようになっている。分表示盤２４の表面には、図５に示すように「０〜５９」からなるデジタル分文字のための数字ＤＭが印刷されている。分表示盤２４は長針２１と一緒に回転する構造であるから、この長針２１の位置に対応してデジタル表示のための数字ＤＭを、表蓋１１に設けた分表示窓１７内に表示する。例えば、長針２１が、垂直状態となっている、つまり０分を指し示していると、分表示盤２４は分表示窓１７に「０」のデジタル表示の数字ＤＭを表示する。
【００１７】
上記、分表示盤２４の外周上には、その回転中心（長針２１の回転軸と同一）に中心を一致させ、かつデジタル分表示のための数字ＤＭに対応して、６０個の透孔２４ａが等間隔で設けられている。一方、表蓋１１には、押さえ片２９ａが一体形成されているフレーム２９が固定されている。押さえ片２９ａの自由端は、分表示盤２４に向かって突出するようにＶ字状に曲げられ、該Ｖ字状先端が、透孔２４ａの一つに嵌るようにフレーム２９が配置されている。従って、分表示盤２４が回転されると、Ｖ字状先端が順次各透孔２４ａに嵌ることによって、文字盤２４は１／６０回転ごとの間欠的な回転をすると共に、一分ごとのクリック感を使用者に付与する。
【００１８】
短針２２は、長針２１が一回転するごとに角度１２／３６０°の回転をするように、中空の長針軸２３に遊嵌された芯軸２２ａと一体に形成されて、長針軸２３上できるように保持されている。長針２１と短針２２との連動は表蓋１１および裏蓋１２の内部に組み込まれた減速機構によってなされる。
【００１９】
この減速機構は、分表示盤２４に同軸的に形成した小歯車２５、小歯車２５に噛み合う大歯車２６、大歯車２６と同軸上の小歯車２７、それに、小歯車２７に噛み合う短針２２と同軸で一体回転する大歯車２８からなる。歯車２６と歯車２７は、表蓋１１の内面に固定した前記フレーム２９に保持されている。短針２２は、これらの歯車２５〜２７からなる減速機構によって、長針２１が角度３６０°回転するごとに、角度３０°づつ回転し、文字盤１４にある時表示文字Ｔを指す。
【００２０】
時表示窓１６に対するデジタル表示のための数字ＤＴは、歯車３１〜３８を含む間欠機構によってなされる。
【００２１】
大歯車３１は、前述の大歯車２６と同軸上に配置されており、前述の減速機構の大歯車２８と同軸に配置され、かつ、大歯車２８と一体に形成されている小歯車３２が噛み合っている。小歯車３２は間欠回転盤３３と一体に形成されている。そして、小歯車３２は、分表示盤２４と同軸配置され、かつその軸を裏蓋１２に保持されている。
【００２２】
間欠回転盤３３は、周囲に一つの溝３４を備えている。溝３４には、小歯車３５の歯が噛み合っている。小歯車３６は小歯車３５の下部に同軸に一体形成されている。小歯車３５，３６の回転軸はフレーム２９に保持されている。小歯車３６はフレーム２９に保持された大歯車３７に噛み合っている。この大歯車３７は、一方向クラッチを介在して時表示盤３９に連結されている。
【００２３】
一方向クラッチは、大歯車３７とこれに同軸配置されたクラッチ板４１とを備えている。クラッチ板４１には、角度１８０°離れて、一対のばね部材４１ａが設けられている。ばね部材４１ａの自由端は大歯車３８の下面にある内歯車４０に噛合している。
【００２４】
何時をデジタル表示するための数字ＤＴは、時表示盤３９に印刷されている。間欠回転盤３３が６０回転すると、時表示盤３９は角度３０°回転して、時表示窓１６に短針２２の位置に対応する数字がデジタル表示のための数字ＤＴとして表示される。例えば、短針２２が２時の位置にあると、時表示窓１６には「２」の数字ＤＴが表示される。一方向クラッチは、上記の回転方向を順方向としたときに、反対方向への回転を阻止している。
【００２５】
絵表示窓１５、時表示窓１６および分表示窓１７は、覆い板４２によって隠すことができる。覆い板４２には、図５に示すように、絵表示窓１５、時表示窓１６および分表示窓１７に一致する３つの孔４２ａが設けられている。つまみ４３は、表蓋１１の表面に配置され、覆い板４２から開口４４を通って延びる部分に固定されている。
【００２６】
図５に示すように、３つの孔４２ａと絵表示窓１５、時表示窓１６および分表示窓１７とが夫々に一致する位置からつまみ４３を距離Ｈ上昇させると、絵表示窓１５、時表示窓１６および分表示窓１７を隠し、距離Ｈ下降をさせると、時表示盤３９の絵文字Ｆおよびデジタル時文字のための数字ＤＴが絵表示窓１５、時表示窓１６および分表示窓１７からそれぞれ表示させる。なお、覆い板４２は、表蓋１１にあるレールに保持されていると共に、該レールと覆い板４２との間にあるストップ手段によって上昇位置と下降位置とでロックできるようになっている。
【００２７】
また、裏蓋１２には、図２に示すように、文字盤隠し４５が着脱自在に装着されている。文字盤隠し４５は、外径が文字盤１４のそれと同じ、内径が文字盤１４の帯Ｓの内周円と同じドーナツ状のもので、裏蓋１２に形成された凹み４６に嵌め込まれ、裏面周縁に一体形成されたピン４７が裏蓋１２に設けた保持孔に嵌り込むことで保持されている。文字盤隠し４５には、時表示文字Ｔに対応する時表示文字Ｔ’、分表示文字Ｍに対応配置された丸突起ＤＭ’が設けられている。以上により、本考案時計形知育玩具の一例を構成する。
【００２８】
次に、上述した知育玩具の使用状態について説明する。この時計形知育玩具の使用は、例えば幼児が指で長針２１を回転させることによって始まる。長針２１の回転よって、長針２１の位置と、分表示窓１７のデジタル表示のための数字ＤＭと、文字盤１４上の分表示文字Ｍとから、長針２１の位置と分との関係を知ることができる。
【００２９】
長針２１を一回転させると、短針２２が減速機構によって角度３０°回転する。すなわち、長針２１が角度３６０°回転すると、短針２２が角度３０／３６０°回転して、長針２１の位置と分表示文字Ｍとから６０分が経過したことを、学ぶことができる。長針２１が１回転すると、短針２２が指し示す文字盤１４上の時表示文字Ｔから一時間経過したことを学ぶことができる。
【００３０】
本考案では、長針２１と一緒に分表示盤２４が一緒に回転するので、分に関連するデジタル表示のための数字ＤＭが分表示窓１７に表示される。例えば、長針２１が角度０°から角度９０°の位置に回転すると、使用者は長針２１が指し示す分表示文字Ｍにおける「１５」および分表示窓１７に表れた「１５」のデジタル表示のための数字ＤＭから、１５分（又は１５分間）であることを学習することができる。
【００３１】
長針２１をさらに回転させ、減速機構が間欠回転盤３３が６０回転すると、小歯車３５，３６を介して大歯車３７が角度３０°回転する。ばね部材４１ａは、内歯車４０に噛み合いながら時表示盤３９を回転させ、時表示盤上の時間に関連するデジタル表示のための数字ＤＴを時表示窓１６に表示する。例えば、短針２２が角度３０°回転すると、使用者は短針２２が指し示す時表示文字Ｔにおける「１」と、時表示窓に表れる「１」のデジタル表示のための数字ＤＴから、１時であることを学習することができる。
【００３２】
これらによって、使用者は、長針２１および短針２２の回転位置と分表示窓１７および時表示窓１６に表れるデジタル分文字のための数字ＤＭおよびデジタル時文字のための数字ＤＴによって、このとき短針２２および長針２１が指し示す時刻が１時１５分であること学ぶことができる。
【００３３】
さらに、絵文字Ｆが絵表示窓１５に時間ごとに表れるので、長針２１を回転し続けることによって、次はどんな絵が出てくるのかという興味を幼児にもたせることができる。これによって長針２１を何回も回転するという単純作業を飽きさせずに、時刻や時間における長針と短針との関係を知る学習に興味を継続させることができる。
【００３４】
また、図６に示すように、裏蓋１２にある文字盤隠し４５を外して、表側の文字盤１４の上に配置し、ピン４７を文字盤上の孔４８に嵌め込み、文字盤上の分表示文字Ｍを隠し、さらに、つまみ４３を上昇すると、文字盤隠し４５が時表示窓１６，分表示窓１７および絵表示窓１５とを隠すので、より高度な時刻や時間に関する学習をすることができる。
【００３５】
これらを繰り返す内に、幼児は長針２１の位置から何分を、短針２２の位置から何時を覚えることができる。
【００３６】
なお、使用中に短針２２が指し示す時表示文字Ｔと時表示窓１６のデジタル表示のための数字ＤＴとが一致しなくなることがある。キャリブレーションは、裏蓋１２と一体の筒によって形成された指穴４９から指を入れ、時表示盤３９を回転して、短針２２が指し示す文字盤１４の時表示文字Ｔと、時表示窓１６のデジタル表示のための数字ＤＴを一致させることができる。
【００３７】
本考案時計形知育玩具は、このように、アナログ時計の時刻表示、時間表示における長針２１と短針２２の位置による時刻、あるいは、時間と両針２１，２２の関係を学ぶことができ、また、長針２１の位置も一分単位で学ぶことができ、しかも、長短針２１，２２の位置による時刻又は時間の表示とデジタル表示ＤＴ，ＤＭとの関係を正確に一致させることができる。
【００３８】
特に、本考案では、分表示盤２４が、その回転中心を長針２１の回転中心となる長針軸２３に一致させて、長針軸２３に取り付けられているので、長針２１と分表示盤２４との表示がズレることは全く生じないという利点がある。
【００３９】
また、間欠機構が、長針と同回転する間欠回転盤３３と、間欠回転盤３３の一回転ごとに回転する小歯車３２とからなり、時間表示板３９が、小歯車３２の回転時に順次に移動されるデジタル時文字に関連する数字ＤＴを備えているので、短針２２と時表示盤３９とを精密に同期させることができる。
【００４０】
さらに、時表示盤３９が小歯車３２との間に一方向クラッチを備えるので、短針２２の位置とデジタル時表示に関連する数字ＤＴとがずれても、確実にキャリブレーションを行うことができる。
【００４１】
加えて、文字盤隠し４５を文字盤１４上に配置することで、分表示文字Ｍを隠し、通常の時計と同じ表示も行えるようにしているので、より高度な学習を行うことができる。
【００４２】
さらに、時表示窓１６および分表示窓１７を露出させる位置とこれらの窓１６，１７を覆う位置との間を移動可能な覆い板４２を備えているので、デジタル表示に頼ることのない学習を行うことができる。
【００４３】
なお、以上述べた実施の態様では、１２時間時計について説明したが、２４時間時計の学習を行えるように形成してもよい。
【図面の簡単な説明】
【００４４】
【図１】本考案時計形知育玩具の一実施形態を示す一部を破断した正面図。
【図２】図１に示す本考案時計形知育玩具の背面図。
【図３】図１および図２に示す本考案時計形知育玩具の裏蓋を外した状態の背面図。
【図４】図１の４−４線に沿う断面図。
【図５】図１〜図４に示す本考案時計形知育玩具の時間に関連するデジタル表示をする機構の正面図。
【図６】図１〜図５に示す本考案時計形知育玩具の使用状態を示す正面図。
【符号の説明】
【００４５】
１１                  表蓋
１２                  裏蓋
１３                  小ねじ
１４                  文字盤
１５                  絵表示窓
１６                  時表示窓
１７                  分表示窓
２１                  長針
２２                  短針
２３                  長針軸
２４                  分表示盤
２４ａ                透孔
２５〜２８            減速機構
２９                  フレーム
２９ａ                押さえ片
３１〜３８            間欠機構
３９                  時表示盤
４０，４１，４１ａ    一方向クラッチ
４２                  覆い板
４２ａ                孔
４３                  つまみ
４４                  開口
４５                  文字盤隠し
４６                  凹み
４７                  ピン
４８                  孔
４９                  指穴
ＤＭ                  何分のデジタル表示のための数字
ＤＭ’                丸突起
ＤＴ                  何時のデジタル表示のための数字
Ｆ                    絵文字
Ｈ                    つまみの昇降距離
Ｍ                    分表示文字
Ｓ                    時間帯を表す帯
Ｔ                    時表示文字
Ｔ’                  文字盤隠し上の時表示文字
【図１】
0003136360.tif 000003
【図２】
0003136360.tif 000004
【図３】
0003136360.tif 000005
【図４】
0003136360.tif 000006
【図５】
0003136360.tif 000007
【図６】
0003136360.tif 000008